(57)【要約】【課題】電解コンデンサが高温になった場合における電解液の噴出を防止する。【解決手段】電解コンデンサ用ソケット１００は、電解コンデンサ２００のリード２０２と機械的および電気的に接続可能な接点部１０２ａおよび接触ばね１０２ｂと、接点部１０２ａおよび接触ばね１０２ｂを保持する可動部１０５と、可動部１０５と機械的に接続し、一定温度以上になると変形する変形部１０３と、を備える。変形部１０３は、接点部１０２ａがリード２０２に接続している際、電解コンデンサ２００の表面に接触する。リード２０２に接続した接点部１０２ａは、変形部１０３が一定温度以上になって変形すると、リード２０２から離れた状態で可動部１０５によって保持される。【選択図】図３
2019134027.tif 000002
【特許請求の範囲】
【請求項１】
電解コンデンサのリードと機械的および電気的に接続可能な端子部と、
前記端子部を保持する保持部と、
前記保持部と機械的に接続し、一定温度以上になると変形する変形部と、
を備え、
前記変形部は、前記端子部が前記リードに接続している際、前記電解コンデンサの表面に接触し、
前記リードに接続した前記端子部は、前記変形部が前記一定温度以上になって変形すると、前記リードから離れた状態で前記保持部によって保持される電解コンデンサ用ソケット。
【請求項２】
前記保持部は、一側方向に倒れることが可能なレバーと、当該レバーに機械的に接続された可動部と、を有し、
前記変形部が前記一定温度以上になって変形すると、前記レバーは前記一側方向へ倒れ、
前記可動部は、前記レバーが一側方向へ倒れると、前記端子部を動かして前記リードから離れた状態にさせる請求項１に記載の電解コンデンサ用ソケット。
【請求項３】
前記保持部の少なくとも一部は、前記変形部が前記一定温度以上になって変形することによって動き、当該一部は外部から視認可能である請求項１または請求項２の何れか１項に記載の電解コンデンサ用ソケット。
【請求項４】
前記変形部の少なくとも一部は外部から視認可能である請求項１から請求項３の何れか１項に記載の電解コンデンサ用ソケット。
【発明の詳細な説明】
【技術分野】
【０００１】
本発明は、電解コンデンサ用ソケットに関するものである。
【背景技術】
【０００２】
特許文献１に電解コンデンサ用ソケットが記載されている。特許文献１に記載された電解コンデンサ用ソケットは、電解コンデンサの着脱が可能である。特許文献１に記載の技術によれば、例えば、劣化した電解コンデンサを容易に交換することが可能である。
【０００３】
また、一般的な汎用の電解コンデンサは、防爆弁を備えている。電解コンデンサが劣化した場合、内部素子の温度が上昇することによって当該電解コンデンサの内圧が上昇する。これにより、防爆弁が開く。防爆弁が開くと、電解コンデンサから電解液が噴出する。
【先行技術文献】
【特許文献】
【０００４】
【特許文献１】特許第５３２７１７５号公報
【発明の概要】
【発明が解決しようとする課題】
【０００５】
使用者は、防爆弁が開くことによる電解コンデンサから電解液の噴出を、当該電解コンデンサが設けられた機器からの発煙等と誤解する可能性がある。これにより、使用者は、電解コンデンサの劣化を、当該電解コンデンサが設けられた機器からの発火等と誤解してしまう。特許文献１に記載された従来の電解コンデンサ用ソケットでは、上記のような誤解を防ぐことができなかった。
【０００６】
本発明は、上記のような課題を解決するためになされたものである。本発明の目的は、電解コンデンサが高温になった場合における電解液の噴出を防止可能な電解コンデンサ用ソケットを提供することである。
【課題を解決するための手段】
【０００７】
本発明に係る電解コンデンサ用ソケットは、電解コンデンサのリードと機械的および電気的に接続可能な端子部と、端子部を保持する保持部と、保持部と機械的に接続し、一定温度以上になると変形する変形部と、を備える。変形部は、端子部がリードに接続している際、電解コンデンサの表面に接触する。電解コンデンサのリードに接続した端子部は、変形部が一定温度以上になって変形すると、当該リードから離れた状態で保持部によって保持される。
【発明の効果】
【０００８】
本発明に係る電解コンデンサ用ソケットは、電解コンデンサが高温になった場合における電解液の噴出を防止することができる。
【図面の簡単な説明】
【０００９】
【図１】実施の形態１の電解コンデンサ用ソケットの構造を示す模式図である。
【図２】実施の形態１の電解コンデンサ用ソケットに電解コンデンサが取り付けられた状態を示す模式図である。
【図３】実施の形態１の電解コンデンサ用ソケットによって電解コンデンサへの通電が切られた状態を示す模式図である。
【図４】実施の形態２の電解コンデンサ用ソケットの構造を示す模式図である。
【図５】実施の形態２の電解コンデンサ用ソケットに電解コンデンサが取り付けられた状態を示す模式図である。
【発明を実施するための形態】
【００１０】
以下、図面を参照して、各実施の形態について説明する。各図における同一の符号は、同一の部分または相当する部分を示す。本開示では、重複する説明については、適宜に簡略化または省略する。なお、本発明は、以下の各実施の形態によって開示される構成のあらゆる組み合わせを含み得るものである。
【００１１】
実施の形態１．
図１は、実施の形態１の電解コンデンサ用ソケット１００の構造を示す模式図である。本実施の形態の電解コンデンサ用ソケット１００は、電解コンデンサ２００を着脱自在に保持する機器である。図１は、電解コンデンサ２００が取り付けられる前の状態の電解コンデンサ用ソケット１００を示している。
【００１２】
電解コンデンサ用ソケット１００に着脱される電解コンデンサ２００は、一般的な汎用のものである。電解コンデンサ２００は、本体部２０１およびリード２０２を備える。電解コンデンサ２００は、一例として、２つのリード２０２を備える。本体部２０１の外郭は、例えば、アルミの筒状の部材によって形成される。一例として、本体部２０１の天面には、防爆弁が設けられている。また、本体部２０１には、リード２０２と接続した内部素子が収納されている。
【００１３】
図２は、実施の形態１の電解コンデンサ用ソケット１００に電解コンデンサ２００が取り付けられた状態を示す模式図である。また、図３は、実施の形態１の電解コンデンサ用ソケット１００によって電解コンデンサ２００への通電が切られた状態を示す模式図である。まず、図１から図３を参照して、実施の形態１の電解コンデンサ用ソケット１００の構成について説明する。
【００１４】
電解コンデンサ用ソケット１００は、ソケット外郭１０１を備える。ソケット外郭１０１は、電解コンデンサ用ソケット１００の外郭を形成する部材である。ソケット外郭１０１は、電解コンデンサ２００を着脱自在に保持可能に形成される。ソケット外郭１０１には、リード２０２が着脱自在に挿し込まれる貫通孔１０１ａが形成されている。貫通孔１０１ａは、リード２０２の数に合わせて、２つ形成されている。
【００１５】
使用者は、リード２０２を貫通孔１０１ａに挿し込むことによって、電解コンデンサ２００を電解コンデンサ用ソケット１００に取り付ける。リード２０２が貫通孔１０１ａに挿し込まれると、本体部２０１は、ソケット外郭１０１によって支持される。
【００１６】
本実施の形態の電解コンデンサ用ソケット１００は、電解コンデンサ２００のリード２０２と電気的に接続可能な端子部の一例として、接点部１０２ａおよび接触ばね１０２ｂを備える。接点部１０２ａおよび接触ばね１０２ｂは、リード２０２の数に合わせて、２つずつ設けられる。接点部１０２ａおよび接触ばね１０２ｂは、導電性を有する部材である。また、接触ばね１０２ｂは、弾性を有する部材である。接点部１０２ａは、接触ばね１０２ｂの先端に取り付けられている。接触ばね１０２ｂの基端側は、ソケット外郭１０１に固着されている。
【００１７】
接点部１０２ａは、ソケット外郭１０１の内部に設けられる。接点部１０２ａは、貫通孔１０１ａと連通する空間に配置されている。接点部１０２ａは、貫通孔１０１ａに挿し込まれたリード２０２と機械的に接触可能に設けられる。接点部１０２ａとリード２０２とが機械的に接触することで、端子部の一例である接点部１０２ａおよび接触ばね１０２ｂは、当該リード２０２と電気的に接続する。
【００１８】
電解コンデンサ用ソケット１００は、さらに、変形部１０３、レバー１０４、可動部１０５およびコイルばね１０６を備える。変形部１０３は、一定温度以上になると変形する部材である。レバー１０４、可動部１０５およびコイルばね１０６は、接点部１０２ａおよび接触ばね１０２ｂを特定の状態で保持可能に構成される。レバー１０４、可動部１０５およびコイルばね１０６は、端子部を保持する保持部の一例である。
【００１９】
変形部１０３は、一例として、特定の変態温度以上の温度になることで変形する形状記憶合金によって形成される。なお、変形部１０３の材質は、形状記憶合金に限られない。変形部１０３は、例えば、バイメタルまたは樹脂等によって形成されてもよい。
【００２０】
レバー１０４は、板状または棒状の部材である。本実施の形態において、レバー１０４は、図１から図３に示すように、上下方向に沿って設けられる。レバー１０４の一端は、例えば、ソケット外郭１０１の上方に位置している。換言すると、レバー１０４の一端は、ソケット外郭１０１の外側に位置している。レバー１０４は、外部から視認可能に設けられている。また、レバー１０４の中途部分は、支点等を介し、ソケット外郭１０１に取り付けられている。レバー１０４は、この支点を中心として回動可能である。
【００２１】
変形部１０３は、上記のように設けられたレバー１０４の一端に、機械的に接続されている。変形部１０３は、外部から視認可能に設けられている。レバー１０４に取り付けられた変形部１０３は、電解コンデンサ２００の表面に接触可能に設けられる。一例として、変形部１０３は、図２および図３に示すように、電解コンデンサ２００の本体部２０１の側面に接触可能に設けられる。
【００２２】
可動部１０５は、レバー１０４の他端に、機械的に接続されている。可動部１０５は、レバー１０４が倒れることによって動く部材である。可動部１０５は、接触ばね１０２ｂを動かすための部材である。可動部１０５は、例えば、板状または棒状に形成される。レバー１０４の他端に接続された可動部１０５は、レバー１０４の一端が動いた方向の逆側に動く。例えば、レバー１０４の一端が右側に倒れると、可動部１０５は、左側に動く。レバー１０４の一端が左側に倒れると、可動部１０５は、右側に動く。
【００２３】
図１から図３に示すように、本実施の形態の可動部１０５には、孔１０５ａが形成されている。孔１０５ａは、板状または棒状に形成された可動部１０５を貫通している。接触ばね１０２ｂは、この孔１０５ａを通る。孔１０５ａを通る接触ばね１０２ｂは、当該孔１０５ａが形成された可動部１０５が動くことによって動く。本実施の形態において、接触ばね１０２ｂは、可動部１０５が一側に動くと、この可動部１０５によって当該一側へ押される。例えば、可動部１０５が右側へ動くと、接触ばね１０２ｂは、右側へ押される。可動部１０５が左側へ動くと、接触ばね１０２ｂは、左側へ押される。
【００２４】
接点部１０２ａおよび接触ばね１０２ｂは、貫通孔１０１ａに挿し込まれたリード２０２よりも第１方向側に配置される。第１方向は、例えば、左方向である。可動部１０５が第１方向側に動くと、接触ばね１０２ｂが第１方向側へ押される。接触ばね１０２ｂが第１方向側へ押されると、当該接触ばね１０２ｂに取り付けられた接点部１０２ａは、第１方向側へ移動する。接点部１０２ａが第１方向側へ移動するということは、換言すると、接点部１０２ａが貫通孔１０１ａに挿し込まれたリード２０２から離れる方向へ移動するということである。
【００２５】
また、可動部１０５が第１方向の逆方向である第２方向側に動くと、接触ばね１０２ｂが当該第２方向側へ押される。第２方向は、例えば、右方向である。接触ばね１０２ｂが第２方向側へ押されると、当該接触ばね１０２ｂに取り付けられた接点部１０２ａは、第２方向側へ移動する。接点部１０２ａが第２方向側へ移動するということは、換言すると、接点部１０２ａが貫通孔１０１ａに挿し込まれたリード２０２に近づく方向へ移動するということである。
【００２６】
上記したように、レバー１０４が動くことで、可動部１０５が動く。接点部１０２ａは、可動部１０５が動くことによって、貫通孔１０１ａに挿し込まれたリード２０２に近づく方向または当該リード２０２から離れる方向へ動く。接点部１０２ａは、リード２０２に近づくことで、当該リード２０２に機械的に接触する。これにより、端子部の一例である接点部１０２ａおよび接触ばね１０２ｂは、当該リード２０２と電気的に接続する。また、接点部１０２ａがリード２０２から機械的に離れることによって、接点部１０２ａとリード２０２との電気的な接続が解除される。
【００２７】
コイルばね１０６は、上記のように動く可動部１０５の動きを安定させるための部材である。コイルばね１０６は、レバー１０４に取り付けられている。また、コイルばね１０６は、変形部１０３と電解コンデンサ２００の表面とを安定的に接触させるための部材でもある。
【００２８】
次に、図１から図３を参照して、上記のように構成された電解コンデンサ用ソケット１００の使用方法および動作について説明する。本実施の形態の電解コンデンサ用ソケット１００は、例えば、電気製品に備えられた回路基板の表面等に実装された状態で使用される。
【００２９】
上述したように、図１は、電解コンデンサ２００が取り付けられる前の状態の電解コンデンサ用ソケット１００を示している。図１における破線は、貫通孔１０１ａにリード２０２が挿し込まれたと仮定した場合における電解コンデンサ２００の位置を示している。
【００３０】
図１に示す状態において、レバー１０４の一端および変形部１０３は、右側に倒されている。これにより、可動部１０５は左側へ動いた状態になっている。図１に示す状態において、接点部１０２ａは、左側へ動いた状態になっている。換言すると、電解コンデンサ用ソケット１００に電解コンデンサ２００が取り付けられる前の状態において、接点部１０２ａは、貫通孔１０１ａに挿し込まれたと仮定した場合におけるリード２０２から離れている。
【００３１】
使用者は、貫通孔１０１ａにリード２０２を挿し込むことによって、電解コンデンサ用ソケット１００に、電解コンデンサ２００を取り付ける。図１に示す状態において、貫通孔１０１ａには、リード２０２が容易に挿し込まれ得る。すなわち、使用者は、図１に示す状態の電解コンデンサ用ソケット１００に、電解コンデンサ２００を容易に取り付けることができる。
【００３２】
使用者は、電解コンデンサ用ソケット１００に電解コンデンサ２００を取り付けた後、レバー１０４の一端および変形部１０３を左側に倒す。これにより、電解コンデンサ２００の本体部２０１の側面に、変形部１０３が接触する。レバー１０４は、変形部１０３が本体部２０１の側面に接触した状態で維持されるように、コイルばね１０６から力を受ける。これにより、図２に示す状態が維持される。
【００３３】
また、レバー１０４の一端および変形部１０３が左側に倒れることで、可動部１０５が右側へ動く。これにより、接点部１０２ａが右側へ動く。右側へ動いた接点部１０２ａは、貫通孔１０１ａに挿し込まれたリード２０２に機械的に接触する。リード２０２は、接点部１０２ａとソケット外郭１０１とに挟み込まれる。これにより、電解コンデンサ２００は、電解コンデンサ用ソケット１００に固定される。図２に示す状態において、接触ばね１０２ｂには、コイルばね１０６から、レバー１０４および可動部１０５を介して、接点部１０２ａがリード２０２へ押し付けられるように、荷重が加えられている。
【００３４】
図２に示すように、接点部１０２ａがリード２０２に機械的に接触することで、接点部１０２ａおよび接触ばね１０２ｂは、リード２０２と電気的に接続する。本実施の形態において、変形部１０３は、接点部１０２ａおよび接触ばね１０２ｂがリード２０２と電気的に接続している際、電解コンデンサ２００の表面に接触している。
【００３５】
電解コンデンサ２００は、図２に示す状態で使用される。電解コンデンサ２００が動作している際には、接点部１０２ａおよび接触ばね１０２ｂを介して、当該電解コンデンサ２００への通電が実行される。電解コンデンサ２００へ通電した場合、当該電解コンデンサ２００の温度は上昇する。劣化している等の通常の状態でない電解コンデンサ２００へ通電した場合、当該電解コンデンサ２００の温度は、予め設定された一定温度以上になる。この一定温度は、例えば、１５０℃等の任意の温度に設定される。
【００３６】
電解コンデンサ２００の温度が一定温度以上になると、当該電解コンデンサ２００の表面に接触している変形部１０３の温度も一定温度以上になる。これにより、変形部１０３が変形する。本実施の形態において、変形部１０３は、一定温度以上になるとレバー１０４の一端を右側へ倒すように変形する。換言すると、変形部１０３は、一定温度以上になって変形することで、レバー１０４の一端を、電解コンデンサ２００から離れる一側方向へ倒す。
【００３７】
図３は、変形部１０３が変形してレバー１０４の一端が右側へ倒れた状態を示している。レバー１０４の一端が右側へ倒れると、可動部１０５は、左側へ動く。これにより、接点部１０２ａは、左側へ動く。接点部１０２ａは、左側へ動いて、リード２０２から離れる。すなわち、本実施の形態において、リード２０２に接続した接点部１０２ａは、変形部１０３が一定温度以上になって変形すると、当該リード２０２から離れる。接点部１０２ａがリード２０２から離れることで、電解コンデンサ２００への通電が終了する。
【００３８】
接点部１０２ａは、保持部の一例であるレバー１０４、可動部１０５およびコイルばね１０６によって、リード２０２から離れた状態で保持される。リード２０２と接点部１０２ａとの電気的な接続は、解除された状態で維持される。本実施の形態であれば、電解コンデンサ２００への通電が使用者の意図に依らず自動的に再開してしまうことがない。
【００３９】
本実施の形態によれば、劣化等の要因によって電解コンデンサ２００が高温になった場合、当該電解コンデンサ２００への通電が自動的に遮断される。また、電解コンデンサ２００への通電は、遮断された状態で維持される。このため、電解コンデンサ２００が高温になっても、防爆弁が開くことがない。本実施の形態の電解コンデンサ用ソケット１００によれば、電解コンデンサ２００からの電解液の噴出を防止することができる。
【００４０】
また、図３に示す状態において、接点部１０２ａは、リード２０２から離れている。このため、使用者は、電解コンデンサ２００のリード２０２を貫通孔１０１ａから容易に引き抜くことができる。また、使用者は、レバー１０４を操作することで、電解コンデンサ用ソケット１００の状態を、電解コンデンサ２００が固定される状態、電解コンデンサ２００が容易に取り付けられる状態、および電解コンデンサ２００が容易に取り外される状態の少なくとも何れかにすることができる。使用者は、レバー１０４を倒すという容易な操作によって電解コンデンサ２００の交換を容易に行うことができる。本実施の形態によれば、より優れた操作性を有する電解コンデンサ用ソケット１００が得られる。
【００４１】
レバー１０４は、変形部１０３が一定温度以上になって変形することによって動く。電解コンデンサ２００の温度が一定温度以上になっている状態のレバー１０４の位置と、電解コンデンサ２００の温度が一定温度未満になっている状態のレバー１０４の位置とは、互いに異なる。電解コンデンサ２００の温度が一定温度以上になっている状態とは、すなわち、電解コンデンサ２００の交換が必要な状態である。本実施の形態において、レバー１０４は、外部から視認可能に設けられている。使用者は、レバー１０４を見ることで、電解コンデンサ２００の交換が必要か否かを容易に確認することができる。
【００４２】
なお、可動部１０５が外部から視認可能に設けられた場合も、使用者は、電解コンデンサ２００の交換が必要か否かを容易に確認することができる。本実施の形態において、保持部の少なくとも一部は、変形部１０３が変形することによって動くように構成されている。レバー１０４および可動部１０５は、当該一部の一例である。
【００４３】
また、本実施の形態において、変形部１０３の少なくとも一部は、外部から視認可能である。一定温度以上になっている変形部１０３の外観と、一定温度未満になっている変形部１０３との外観は異なる。使用者は、変形部１０３を見ることで、電解コンデンサ２００の交換が必要か否かを容易に確認することができる。
【００４４】
なお、端子部を保持する保持部の構成は、上記の実施の形態で示したレバー１０４、可動部１０５およびコイルばね１０６に限られるものではない。例えば、レバー１０４および可動部１０５が動く方向は、図１から図３に示す例に限られない。また、電解コンデンサ用ソケット１００には、レバー１０４および可動部１０５等の部材の位置を特定の位置で保持するラッチ構造等の機構が設けられていてもよい。
【００４５】
実施の形態２．
次に、実施の形態２について説明する。実施の形態１と同一または相当する部分については、同じ符号を付し、また、説明を簡略化および省略する。図４は、実施の形態２の電解コンデンサ用ソケット１００ａの構造を示す模式図である。図５は、実施の形態２の電解コンデンサ用ソケット１００ａに電解コンデンサ２００が取り付けられた状態を示す模式図である。
【００４６】
本実施の形態の電解コンデンサ用ソケット１００ａは、実施の形態１の電解コンデンサ用ソケット１００と同様、一般的な汎用の電解コンデンサ２００を着脱自在に保持する。電解コンデンサ用ソケット１００ａは、実施の形態１の電解コンデンサ用ソケット１００と同様、ソケット外郭１０１、接点部１０２ａおよび接触ばね１０２ｂを備える。
【００４７】
また、電解コンデンサ用ソケット１００ａは、実施の形態１における変形部１０３に替えて、変形部１０３ａを備える。変形部１０３ａは、変形部１０３と同様、一定温度以上になると変形する部材である。変形部１０３ａは、例えば、形状記憶合金、バイメタルまたは樹脂等によって形成される。変形部１０３ａは、ソケット外郭１０１に収納される。
【００４８】
また、本実施の形態の電解コンデンサ用ソケット１００ａは、図４および図５に示すように、操作棒１０７および突起１０８を備える。操作棒１０７は、棒状の部材である。突起１０８は、この棒状の操作棒１０７の側面に設けられる。突起１０８が設けられた操作棒１０７は、一例として、左右方向に沿って配置される。操作棒１０７および突起１０８は、絶縁性を有する材料によって形成される。
【００４９】
電解コンデンサ用ソケット１００ａのソケット外郭１０１の側面部分には、図４および図５に示すように、貫通孔１０１ｂが形成される。操作棒１０７は、この貫通孔１０１ｂを通るように配置される。貫通孔１０１ｂを通るように配置された操作棒１０７は、一例として、左右方向に移動可能である。また、操作棒１０７は、実施の形態１のレバー１０４と同様に、外部から視認可能に設けられる。
【００５０】
また、突起１０８および貫通孔１０１ｂは、突起１０８が貫通孔１０１ｂの縁に引っ掛かることが可能なように配置および形成される。突起１０８は、左右方向に移動可能な操作棒１０７の位置を保持するためのものである。貫通孔１０１ｂが形成されたソケット外郭１０１、操作棒１０７および突起１０８は、端子部を特定の状態で保持する保持部の一例である。
【００５１】
ソケット外郭１０１に収納された変形部１０３ａの一端は、２つの接触ばね１０２ｂの一方に機械的に接続される。変形部１０３ａは、接触ばね１０２ｂと一体となっていてもよい。２つの接点部１０２ａの一方は、接触ばね１０２ｂを介して、変形部１０３ａに機械的に接続される。なお、２つの接点部１０２ａの一方は、変形部１０３ａの一端に直接的に機械的に接続されていてもよい。
【００５２】
また、変形部１０３ａの他端には、上記した操作棒１０７が機械的に接続される。変形部１０３ａと操作棒１０７とは、互いに連動する。変形部１０３ａが変形することで、操作棒１０７が動く。操作棒１０７が左右へ動くと、変形部１０３ａの他端も左右へ動く。変形部１０３ａに機械的に接続された接点部１０２ａも、当該変形部１０３ａに連動して動く。
【００５３】
図４は、実施の形態１における図１に対応する図であり、電解コンデンサ２００が取り付けられる前の状態の電解コンデンサ用ソケット１００ａを示している。図４における破線は、本実施の形態において、貫通孔１０１ａにリード２０２が挿し込まれたと仮定した場合における電解コンデンサ２００の位置を示している。
【００５４】
図４に示す状態において、操作棒１０７は、左側へ動いている。操作棒１０７の位置は突起１０８がソケット外郭１０１に引っ掛かることで保持される。図４に示す状態において、変形部１０３ａおよび接触ばね１０２ｂを介して操作棒１０７に機械的に接続された接点部１０２ａは、左側へ動いた状態になっている。左側へ動いた状態の接点部１０２ａは、貫通孔１０１ａに挿し込まれたと仮定した場合におけるリード２０２から離れている。
【００５５】
実施の形態１と同様、使用者は、貫通孔１０１ａにリード２０２を挿し込むことによって、電解コンデンサ用ソケット１００に、電解コンデンサ２００を取り付ける。使用者は、電解コンデンサ用ソケット１００に電解コンデンサ２００を取り付けた後、操作棒１０７を押し下げる。これにより、突起１０８がソケット外郭１０１から離れる。使用者は、突起１０８がソケット外郭１０１から離れた状態で、操作棒１０７を右側へ動かす。これにより、電解コンデンサ２００および電解コンデンサ用ソケット１００ａの状態は、図５に示す状態になる。
【００５６】
操作棒１０７が右側へ動くことで、変形部１０３ａおよび接点部１０２ａも右側へ動く。右側へ動いた接点部１０２ａは、図５に示すように、貫通孔１０１ａに挿し込まれたリード２０２に機械的に接触する。接点部１０２ａがリード２０２に機械的に接触することで、接点部１０２ａおよび接触ばね１０２ｂは、リード２０２と電気的に接続する。
【００５７】
本実施の形態の変形部１０３ａは、図５に示すように、接点部１０２ａおよび接触ばね１０２ｂがリード２０２と電気的に接続している際には電解コンデンサ２００の表面に接触するように設けられる。また、一例として、変形部１０３ａは、接点部１０２ａおよび接触ばね１０２ｂがリード２０２と電気的に接続している際にはソケット外郭１０１に接触するように設けられる。変形部１０３ａの位置は、ソケット外郭１０１によって保持される。これにより、操作棒１０７の位置も保持される。
【００５８】
本実施の形態において、電解コンデンサ２００は、図５に示す状態で使用される。電解コンデンサ２００の温度が一定温度以上になると、当該電解コンデンサ２００の表面に接触している変形部１０３ａの温度も一定温度以上になる。これにより、変形部１０３ａが変形する。本実施の形態において、変形部１０３ａが一定温度以上になって変形すると、当該変形部１０３ａの一端および他端が左側へ移動する。これによち、接点部１０２ａは、左側へ動いて、リード２０２から離れる。電解コンデンサ用ソケット１００ａの状態は、図４に示す状態と同様の状態になる。接点部１０２ａがリード２０２から離れることで、電解コンデンサ２００への通電が終了する。
【００５９】
上述したように、変形部１０３ａが一定温度以上になって変形すると、電解コンデンサ用ソケット１００ａの状態は、図４に示す状態と同様の状態になる。すなわち、変形部１０３ａが一定温度以上になって変形すると、操作棒１０７は左側へ動く。そして、操作棒１０７の位置は、突起１０８がソケット外郭１０１に引っ掛かることで保持される。
【００６０】
変形部１０３ａは、電解コンデンサ２００から離れると、やがて一定温度未満になる。一定温度未満になった変形部１０３ａは、図４に示す状態から図５に示す状態に戻ろうとする。本実施の形態では、図４に示すように、突起１０８がソケット外郭１０１に引っ掛かっているため、操作棒１０７の位置が保持される。これにより、変形部１０３ａの位置も保持される。リード２０２と接点部１０２ａとの電気的な接続は、解除された状態で維持される。本実施の形態であれば、電解コンデンサ２００への通電が使用者の意図に依らず自動的に再開してしまうことがない。使用者は、電解コンデンサ２００への通電を再開させるためには、上述したように、操作棒１０７を押し下げてから右側へ動かせばよい。
【００６１】
本実施の形態の電解コンデンサ用ソケット１００ａであれば、実施の形態１の電解コンデンサ用ソケット１００と同様、電解コンデンサ２００からの電解液の噴出を防止することができる。使用者は、保持部の一部である操作棒１０７を見ることで、電解コンデンサ２００の交換が必要な否かを容易に確認することができる。また、電解コンデンサ用ソケット１００ａは、電解コンデンサ用ソケット１００に比べて、より少ない部品によって構成することができる。
【符号の説明】
【００６２】
１００  電解コンデンサ用ソケット、  １００ａ  電解コンデンサ用ソケット、  １０１  ソケット外郭、  １０１ａ  貫通孔、  １０１ｂ  貫通孔、  １０２ａ  接点部、  １０２ｂ  接触ばね、  １０３  変形部、  １０３ａ  変形部、  １０４  レバー、  １０５  可動部、  １０５ａ  孔、  １０６  コイルばね、  １０７  操作棒  、  １０８  突起、  ２００  電解コンデンサ、  ２０１  本体部、  ２０２  リード
【図１】
2019134027.tif 000003
【図２】
2019134027.tif 000004
【図３】
2019134027.tif 000005
【図４】
2019134027.tif 000006
【図５】
2019134027.tif 000007